(57)【要約】  逆止弁は、入口ポート、出口ポート、及び弁チャンバを含むハウジングを含む。入口ポートは、弁チャンバの天井からハウジングの外面に延伸する。出口ポートは、弁チャンバの床からハウジングの外面に延伸する。逆止弁は、チャンバ内に支持された弁部材を更に含む。弁部材は弁ヘッドを含む。上流圧力が弁部材に加えられる場合には、弁ヘッドは、弁チャンバの天井から離れるように偏向し、入口ポートを開封するように構成される。下流圧力が弁部材に加えられる場合には、弁ヘッドは、弁ヘッドが弁チャンバの天井の形状に適合するように、弁チャンバの床から離れるように偏向し、入口ポートを密封するように構成される。【特許請求の範囲】
【請求項１】
入口ポート、出口ポート、及び弁チャンバを備えるハウジングであって、前記入口ポートは、前記弁チャンバの天井から前記ハウジングの外面に延伸し、前記出口ポートは、前記弁チャンバの床から前記ハウジングの前記外面に延伸する、ハウジングと、
前記チャンバ内に支持された弁部材であって、弁ヘッドを備える弁部材と
を備える逆止弁であって、
上流圧力が前記弁部材に加えられる場合には、前記弁ヘッドは、前記弁チャンバの前記天井から離れるように偏向し、前記入口ポートを開封するように構成され、
下流圧力が前記弁部材に加えられる場合には、前記弁ヘッドは、前記弁ヘッドが前記弁チャンバの前記天井の形状に適合するように、前記弁チャンバの前記床から離れるように偏向し、前記入口ポートを密封するように構成されている、逆止弁。
【請求項２】
前記弁部材はステムを備え、前記弁部材は、前記出口ポートの開口部の中心に配置された前記ステムによって前記弁チャンバ内に支持されている、請求項１に記載の逆止弁。
【請求項３】
前記弁部材は、傘のような形状を備える、請求項１に記載の逆止弁。
【請求項４】
前記弁チャンバの前記天井は、ドーム状の天井を備える、請求項１に記載の逆止弁。
【請求項５】
前記弁ヘッドの半径は、前記弁チャンバの前記天井と前記弁ヘッドの上面との間に留まる粒子の直径より大きい、請求項４に記載の逆止弁。
【請求項６】
前記弁ヘッドの厚さは、前記弁ヘッドの中央部分から周辺部に向かって減少する、請求項１に記載の逆止弁。
【請求項７】
前記上流圧力が前記弁ヘッドに加えられる場合には、流体は、前記入口ポートから前記出口ポートに流れる、請求項１に記載の逆止弁。
【請求項８】
入口ポートを備える入口ハウジングと、
出口ポートを備える出口ハウジングと、
前記入口ハウジングと前記出口ハウジングとを係合することによって作り出された弁チャンバであって、前記入口ハウジングの内面は、前記弁チャンバの天井として機能し、前記出口ハウジングの内面は、前記弁チャンバの床として機能する、弁チャンバと、
前記入口ハウジングの内面と前記出口ハウジングの内面との間の前記弁チャンバ内に支持された傘状の弁と
を備える逆止弁システムであって、
上流圧力が前記傘状の弁に加えられる場合には、前記傘状の弁は、前記入口ポートから離れるように移動し、前記弁チャンバの前記天井と前記傘状の弁の上面との間に隙間を作り出すように構成され、
下流圧力が前記傘状の弁に加えられる場合には、前記傘状の弁は、前記出口ポートから離れるように偏向するように構成され、前記傘状の弁の前記上面は、前記弁チャンバの前記天井の形状に適合する、逆止弁システム。
【請求項９】
前記入口ポートは、前記弁チャンバから前記入口ハウジングの外面に延伸し、
前記出口ポートは、前記弁チャンバから前記入口ハウジングの外面に延伸し、
前記入口ポート及び前記出口ポートは、互いに軸線方向に整列する、請求項８に記載の逆止弁システム。
【請求項１０】
前記傘状の弁はステムを備え、前記傘状の弁は、前記出口ポートの開口部の中心に配置された前記ステムによって前記弁チャンバ内に支持されている、請求項８に記載の逆止弁システム。
【請求項１１】
前記傘状の弁は、前記出口ポートの開口部の中心に配置された前記ステムによって前記弁チャンバ内に支持されている、請求項８に記載の逆止弁システム。
【請求項１２】
前記弁チャンバの前記天井は、ドーム状の天井を備える、請求項８に記載の逆止弁システム。
【請求項１３】
前記天井は、実質的に第１の曲率を含み、
前記傘状の弁の前記上面は、第２の曲率を含み、前記第１の曲率は、前記第２の曲率より小さい、請求項８に記載の逆止弁システム。
【請求項１４】
前記弁ヘッドの厚さは、前記弁ヘッドの中央部分から周辺部に向かって減少する、請求項８に記載の逆止弁システム。
【請求項１５】
前記上流圧力が前記弁ヘッドに加えられる場合には、流体は、前記入口ポートから前記出口ポートに流れる、請求項８に記載の逆止弁システム。
【請求項１６】
入口端の入口ポート、出口端の出口ポート、天井、及び湾曲された床を備える弁チャンバであって、前記入口ポートは、前記天井から前記弁チャンバの外側に延伸し、前記出口ポートは、前記湾曲された床から前記弁チャンバの外側に延伸する、弁チャンバと、
前記弁チャンバ内に支持された弁と
を備える逆止弁であって、
前記湾曲された床は、ドーム形状を含み、前記湾曲された床の中心において隆起し、
前記湾曲された床の周辺部は、前記湾曲された床の前記中心より前記出口端に近い、逆止弁。
【請求項１７】
前記弁チャンバの前記天井は、ドーム状の天井を備える、請求項１６に記載の逆止弁。
【請求項１８】
前記弁は弁ヘッドを含み、
前記弁ヘッドの厚さは、前記弁ヘッドの中央部分から周辺部に向かって減少し、
上流圧力が弁に加えられる場合には、前記弁ヘッドは、前記入口ポートから離れるように移動し、前記弁チャンバの前記天井と前記弁ヘッドとの間に間隙を作り出すように構成され、
下流圧力が弁に加えられる場合には、前記弁ヘッドは、前記出口ポートから離れるように偏向し、前記弁チャンバの前記天井の形状に適合するように構成されている、請求項１６に記載の逆止弁。
【請求項１９】
前記弁ヘッドの半径は、前記弁チャンバの前記天井と前記弁ヘッドの上面との間に留まる粒子の直径より大きい、請求項１８に記載の逆止弁。
【請求項２０】
前記弁は傘のような形状を有する、請求項１６に記載の逆止弁。
【発明の詳細な説明】
【技術分野】
【０００１】
関連出願の相互参照
本願は、２０１７年９月１１日に米国特許商標庁に出願された仮出願番号６２／５５７，１００に対する米国特許法第１１９条に基づく優先権を主張する。
【０００２】
本開示は、一般的に、注入による薬物の投与に関し、より詳細には、逆止弁に関する。
【背景技術】
【０００３】
注入薬物若しくは溶液を含有するバッグ、ボトル、シリンジ、又は他の容器は、注入溶液を投与するためにラックから吊るされる。容器と注入ポンプシステムとの間にチューブが接続される。チューブの端にあるカテーテルは、静脈内（ＩＶ）注入のために患者に挿入される。チューブは、継手、コネクタ、逆止弁、及びポンプ要素を含むアセンブリの一部であってもよく、多くの場合、「ＩＶセット」として参照される。注入ポンプシステムが起動される場合には、注入溶液が患者に投与される。
【０００４】
既存のＩＶ逆止弁は、ＩＶ逆止弁の上流に配置された入口ポートと、ＩＶ逆止弁の下流に配置された出口ポートとを含むチャンバを含む。入口ポートは、流体がチューブから逆止弁の中に流れることを可能にし、出口ポートは、流体が逆止弁からチューブの中に流れることを可能にする。
【発明の概要】
【発明が解決しようとする課題】
【０００５】
ＩＶセットを通って流体（例えば、注入溶液）が移動しない場合には、ＩＶ逆止弁は通常、閉じている。例えば、流体が移動しない場合には、逆止弁は閉じて、流体が入口ポートを通過することを不能にする。流体がＩＶセットを通って流れる場合には、ＩＶ逆止弁は開いて、流体がＩＶ逆止弁の一端から他端に流れることを可能にする。しかし、多くの弁は、砂粒及び粒子を滞留させやすい。砂粒が留まる間に反対の流れが加えられる場合には、入口ポートが完全に密封されず、小さい漏れを引き起こし、それによって、弁は役に立たなくなる。
【０００６】
流体の漏れ及び逆流をもたらす砂粒の留まりを防止するＩＶ逆止弁を提供することは有利である。これを達成すると同時に、現在の注入ポンプより信頼性が高く、安価で、及び／又は静かな注入ポンプを提供することは、追加の利点である。本明細書では、これらの所望の機能及び目的を達成する逆止弁が説明される。
【課題を解決するための手段】
【０００７】
逆止弁は、入口ポート、出口ポート、及び弁チャンバを含むハウジングを含む。入口ポートは、弁チャンバの天井からハウジングの外面に延伸する。出口ポートは、弁チャンバの床からハウジングの外面に延伸する。逆止弁は、チャンバ内に支持された弁部材を更に含む。弁部材は弁ヘッドを含む。上流圧力が弁部材に加えられる場合には、弁ヘッドは、弁チャンバの天井から離れるように偏向し、入口ポートを開封するように構成される。下流圧力が弁部材に加えられる場合には、弁ヘッドは、弁ヘッドが弁チャンバの天井の形状に適合するように、弁チャンバの床から離れるように偏向し、入口ポートを密封するように構成される。
【０００８】
逆止弁システムは、入口ポートを有する入口ハウジング、及び出口ポートを有する出口ハウジングを含む。逆止弁システムは、入口ハウジングと出口ハウジングとを係合することによって作り出された弁チャンバを更に含む。入口ハウジングの内面は、弁チャンバの天井として機能する。出口ハウジングの内面は、弁チャンバの床として機能する。逆止弁システムはまた、弁チャンバ内に支持された傘状の弁を含む。上流圧力が傘状の弁に加えられる場合には、傘状の弁は、入口ポートから離れるように移動し、弁チャンバの天井と傘状の弁の上面との間に隙間を作り出すように構成される。下流圧力が傘状の弁に加えられる場合には、傘状の弁は、出口ポートから離れるように偏向するように構成され、傘状の弁の上面は、弁チャンバの天井の形状に適合する。
【０００９】
逆止弁は、入口端の入口ポート、出口端の出口ポート、天井、及び床を備える弁チャンバを含む。入口ポートは、天井から弁チャンバの外側に延伸し、出口ポートは、床から弁チャンバの外側に延伸する。逆止弁はまた、弁チャンバ内に支持された弁を含む。湾曲された床は、ドーム形状を含み、湾曲された床の中心において隆起する。湾曲された床の周辺部は、湾曲された床の中心より出口端に近い。
【００１０】
添付の図は、実施形態の特定の態様を例示するために含まれ、排他的な実施形態としてみなされるべきではない。開示された主題は、当業者が本開示の利益を享受するように、形態及び機能において多くの変更、変化、組合せ、及び均等物が可能である。
【図面の簡単な説明】
【００１１】
【図１】本開示の特定の態様による逆止弁を有するＩＶセットの斜視図を描写する。
【図２】本開示の特定の態様によるＩＶ逆止弁の断面図を描写する。
【図３】本開示の特定の態様による図２のＩＶ逆止弁の拡大部分断面図を描写する。
【図４】本開示の特定の態様によるＩＶ逆止弁の断面図を示す。
【発明を実施するための形態】
【００１２】
以下に記載される詳細な説明は、対象技術の様々な構成を説明し、対象技術が実施されてもよい構成のみを表すことが意図されない。詳細な説明は、対象技術の完全な理解を提供する目的のために特定の詳細を含む。よって、寸法は、非限定的な例として、特定の態様に関して提供されてもよい。しかし、対象技術がこれらの特定の詳細なしで実施されてもよいことは、当業者には明らかであろう。幾つかの例においては、対象技術の概念を不明瞭にすることを回避するために、周知の構造及び構成要素がブロック図形式で示される。
【００１３】
本開示は、対象技術の例を含み、添付の特許請求の範囲の範囲を限定しないことを理解されたい。対象技術の様々な態様が、特定ではあるが非限定的な例に従って次に開示される。本開示で説明される様々な実施形態は、異なる方法及び変形において、及び所望の用途又は実装に従って実行されてもよい。
【００１４】
ＩＶ逆止弁の開示された実施形態は、流体の逆流を防止して流体を送達する信頼できる方法を提供する。
【００１５】
以下の詳細な説明においては、本開示の完全な理解を提供するために、多数の特定の詳細が記載される。しかし、本開示の実施形態が特定の詳細の一部なしに実施されてもよいことが当業者には明らかであろう。他の例においては、周知の構造及び技術が、本開示を不明瞭にしないように詳細には示されない。
【００１６】
本明細書に開示される方法及びシステムは、患者への医療流体の送達のための注入ポンプに関して提示される。開示された概念が逆止弁を利用する様々な機構に適用されてもよいことは、当業者には明らかであろう。
【００１７】
図１は、本開示の特定の態様による、逆止弁１００、２００を有するＩＶセット１０の斜視図を描写する。図１に例示されるように。ＩＶセット１０は、それにおいてＩＶ逆止弁１００、２００を含む。ＩＶセット１０は、主流体システム２及び補助流体システム４を含む。ＩＶポンプ（示されない）は、供給ライン５を介して主流体システム２及び分岐又は補助流体システム４から流体を受け取り、それから流体を患者に制御及び分配する。
【００１８】
主流体システム２は、患者に投与される生理食塩水又は他の流体を含み、又は包含してもよい流体バッグ３のような主流体源を含む。例示されるように、チューブ６は、点滴チャンバ７からＹコネクタ１２への流れを搬送する。逆止弁１００、２００は、Ｙコネクタ１２の上流のチューブ６に配置され、流体バッグ３からＩＶポンプ（例示されない）への流れを可能にし、一方、補助流体システム４から流体バッグ３に向かう流体の逆流（反対の流れ）を防止する。
【００１９】
補助流体システム４は、治療のために患者に供給される薬剤又は他の流体を含有してもよい流体バッグ８のような補助流体源を含む。補助流体ライン９は、点滴チャンバ１１からＹコネクタ１２への流れを搬送する。
【００２０】
対象技術の態様は、流体（例えば、注入薬物又は生理食塩水）の逆流を防止する逆止弁１００、２００に関連する。
【００２１】
図２は、入口ハウジング１１０、出口ハウジング１２０、及び弁１３０を含む逆止弁１００を示す。入口ハウジング１１０は、入口ポート１１２、第１の内面１１４、及び第１の外面１１６を含む。入口ポート１１２は、入口ハウジング１１０の第１の内面１１４から第１の外面１１６に延伸する。出口ハウジング１２０は、出口ポート１２２、第２の内面１２４、及び第２の外面１２６を含む。出口ポート１２２は、出口ハウジング１２０の第２の内面１２４から第２の外面１２６に延伸する。弁１３０は、弁ヘッド１３２及びステム１３４を含む。
【００２２】
図３は、逆止弁１００の弁部分の拡大部分断面図を示す。入口ハウジング１１０及び出口ハウジング１２０は係合し、弁チャンバ１０２を作り出す。弁１３０は、弁チャンバ１０２内に配置される。弁１３０の弁ヘッド１３２は、上面１３２ａ、下面１３２ｂ、及び周辺部１３２ｃを含む。ステム１３４は、下面１３２ｂから下方に延伸して、概して垂直になることができ、出口ハウジング１２０の開口又は穴１２８に保持される。
【００２３】
入口ハウジング１１０の入口ポート１１２は、ＩＶセット（図２に例示される）のチューブ６に接続され、流体がチューブ６から逆止弁１００の中に流れることを可能にしてもよい。流体が移動しない場合には、弁ヘッド１３２の上面１３２ａの中央部分は、チャンバ１０２における入口ポート１１２の開口部の縁に当接するように構成又は事前配置され、入口ポート１１２を密閉する。入口ポート１１２を密封する中央部分の領域は、弁ヘッド１３２の下面１３２ｂと接触するステム１３４の領域より僅かに大きくてもよい。図２に例示されるように、弁ヘッド１３２の周辺部１３２ｃと入口ハウジング１１０の第１の内面との間には隙間がある。隙間は、周辺部１３２ｃから上面１３２ａの中央部分に近づくにつれて次第に小さくなる。
【００２４】
流体が図２及び図３に示される矢印の方向に移動する場合には、上流圧力（上流方向から下流方向に向けられた圧力）が弁ヘッド１３２に加えられる。上流圧力は、弁ヘッド１３２をステム１３４に向かって押圧し、入口ハウジング１１０の第１の内面１１４と弁ヘッド１３２の上面１３２ａとの間に間隙を作り出すために入口ポート１１２の開口部から離れるように弁ヘッド１３２を偏向する。流体は、間隙を通り、弁１３２の上面１３２ａ上を周辺部１３２ｃに向かって流れる。流体は、出口ハウジング１２０の出口ポート１２２に流れ込み、ＩＶセットのチューブに沿って流れ込む。
【００２５】
流体の移動が遅くなり、下流圧力（下流方向から上流方向に向けられた圧力）が弁ヘッド１３２に加えられる場合には、上面１３２ａの中央部分及び周辺部１３２ｃを含む弁ヘッド１３２の他の部分は、入口ハウジング１１０の内面１１４に接触する。例えば、下流圧力が加えられる場合には、弁ヘッド１３２は、出口ハウジング１２０から離れるように偏向し、弁ヘッド１３２の上面１３２ａと入口ハウジング１１０の第１の内面１１４との間の間隙を閉じる。弁ヘッド１３２の半径は、第１の内面１１４と上面１３２ａとの間に留まる場合がある砂粒又は粒子の直径より大きい。この構造で、第１の内面１１４と上面１３２ａとの間に砂粒又は粒子が溜まった場合であっても、上面１３２ａの残りの部分は、弁チャンバ１０２における入口ポート１１２の開口部が確実に密封されるように第１の内面１１４に接触する。
【００２６】
幾つかの態様においては、弁チャンバ１０２は、図２及び図３に示されるように、ドーム状の天井（例えば、第１の内面１１４）を有してもよい。ドーム状の天井の曲率は、流体が移動しない場合には、弁ヘッド１３２の上面１３２ａの曲率より小さくてもよい。ドーム状の天井の曲率度と上面１３２ａの曲率度との差は、弁ヘッド１３２の上面１３２ａの中心が弁チャンバにおける入口ポート１１２の開口部の縁と接触することを可能にし、一方、弁ヘッド１３２の周辺部１３２ｃ及びドーム状の天井は、互いに係合しない。ドーム状の天井の曲率及び弁ヘッド１３２の上面１３２ａの曲率は、砂粒及び粒子が下流に流れることを促進し、第１の内面１１４と上面１３２ａとの間に砂粒及び粒子を留めることを防止してもよい。幾つかの態様においては、弁チャンバ１０２は、湾曲された床（例えば、第２の内面１２４）を有してもよく、図２及び図３に示されるように、床は、床の中心に向かって移動するについて隆起する。更に、幾つかの他の態様においては、第１の内面１１４と上面１３２ａとの間の通路を通過した砂粒及び粒子は、第２の内面１２４の近くの弁チャンバ１０２の床に収集されてもよい。
【００２７】
幾つかの態様においては、弁１３０の材料は、シリコーン又はエラストマー材料であってもよい。弁ヘッド１３２の厚さは、図２及び図３に例示されるように、中心から周辺部１３２ｃに向かって減少する。この構造は、下流圧力が加えられる場合に、周辺部１３２ｃが第１の内面１１４に向かって容易に移動することを促進する。
【００２８】
図４は、本開示の特定の態様による、ＩＶ逆止弁２００の断面図を描写する。図４に例示されるように、本開示の幾つかの実施形態によれば、逆止弁２００は閉じた状態にあり、逆止弁２００は逆方向の流体の流れ、すなわち逆流（出口ポート２２２から入口ポート２１２に）を制限する。描写されるように、逆止弁２００は、入口ハウジング２１０、出口ハウジング２２０、及び弁２３０を含む。入口ハウジング２１０は、入口ポート２１２、第１の内面２１４、及び第１の外面２１６を含む。入口ポート２１２は、入口ハウジング２１０の第１の内面２１４から第１の外面２１６に延伸する。出口ハウジング２２０は、出口ポート２２２、第２の内面２２４、及び第２の外面２２６を含む。描写されるように、出口ポート２２２は、出口ハウジング１２０の第２の内面２２４から第２の外面２２６に延伸する。図２及び図３の弁１３０と同様に、弁２３０は、弁ヘッド１３２及びステム１３４を含む。
【００２９】
幾つかの実施形態においては、入口ハウジング２１０は、弁チャンバ２０２を画定するために、出口チャンバ２２０と係合し、それに結合される。弁２３０は、弁チャンバ２０２内に配置される。弁２３０の弁ヘッド２３２は、上面２３２ａ、下面２３２ｂ、及び周辺部２３２ｃを含む。ステム２３４は、下面２３２ｂから下方に延伸して、概して垂直になることができ、出口ハウジング２２０の開口又は穴２２８に保持される。
【００３０】
入口ハウジング２１０の入口ポート２１２は、ＩＶセットのチューブ６に接続されてもよく（図１に例示される）、流体がチューブ６から逆止弁２００の中に流れることを可能にしてもよい。弁チャンバ２０２と流体連通する入口ポート２１２の開口部の直径が入口ポート１１２の開口部の直径より大きいという点で、逆止弁２００は逆止弁１００とは構造において異なる。この結果、流体が移動しない場合には、上面２３２ａのより大きい領域が、弁ヘッド１３２の上面１３２ａの中央部分のみが入口ポート１１２の開口部の縁に当接するように構成される、図２及び図３の実施形態と比較して、入口ポート２１２を密封するために、入口ハウジング２１０の内面２１４と名目上係合する。図４に描写されるように、上面２３２ａのより大きい表面積が入口ポート２１２を通って流れる流体に曝されるので、弁２３０を下流方向に動かし、入口ポート２１２を開封するために力の減少が要求される。有利には、流体の流れに曝される弁２３０の表面積の増大に起因して、図２及び図３の実施形態と比較して、弁２３０のクラッキング（開放）圧力が減少する。
【００３１】
図４に描写されるように、入口ポート２１２を密封する上面２３２ａの領域は、弁ヘッド２３２の下面２３２ｂと接触するステム２３４の領域より実質的に大きい。流体が図４に示される矢印の方向に移動する場合には、上流圧力が弁ヘッド２３２に加えられる。上流圧力は、入口ハウジング２１０の第１の内面２１４と弁ヘッド２３２の上面２３２ａとの間に間隙を作り出すために、弁ヘッド２３２をステム２３４に向かって押圧し、弁ヘッド２３２を入口ポート２１２の開口部から離れるように偏向させる。流体は、間隙を通って、周辺部２３２ｃに向かって弁２３２の上面２３２ａ上を流れ、出口ハウジング２２０の出口ポート２２２に流れ込み、ＩＶセット（図１に示される）のチューブ６に沿って流れ込む。
【００３２】
流体の移動が遅くなり、下流圧力が弁ヘッド２３２に加えられる場合には、入口ポート２１２の真下の上面２３２ａの領域、及び周辺部２３２ｃを含む弁ヘッド２３２の他の部分は、入口ハウジング２１０の内面２１４に接触する。例えば、下流圧力が加えられる場合には、弁ヘッド２３２は、出口ハウジング２２０から離れるように偏向され、弁ヘッド２３２の上面２３２ａと入口ハウジング２１０の第１の内面２１４との間の間隙を閉じる。図２及び図３の実施形態と同様に、弁ヘッド２３２の半径は、第１の内面２１４と上面２３２ａとの間に留まる場合がある砂粒又は粒子の直径より大きい。この構造で、第１の内面２１４と上面２３２ａとの間に砂粒又は粒子が溜まった場合であっても、上面２３２ａの残りの部分は、弁チャンバ２０２における入口ポート２１２の開口部が確実に密封されるように、第１の内面２１４と接触する。
【００３３】
図２及び図３の実施形態と同様に、弁チャンバ２０２は、図４に示されるように、ドーム状の天井（例えば、第１の内面２１４）を有してもよい。ドーム状の天井の曲率は、流体が移動しない場合には、弁ヘッド２３２の上面２３２ａの曲率より小さくてもよい。図２及び図３の実施形態とは対照的に、閉じた位置において、図４に例示されるように、弁ヘッド２３２の周辺部２３２ｃ及びドーム状の天井は、入口ポート２１２を密封するために互いに係合する。この結果、上流圧力が弁２３０の上面２３２ａに加えられる場合には、弁２３０全体は下流方向に動き、それによって、入口ポート２１２が開封される。図４の様々な実施形態の構成は、弁２３０を開くために弁全体がステム２３４を押し下げる必要がないという点で有利である。
【００３４】
図４に例示されるように、ドーム状の天井の曲率及び弁ヘッド２３２の上面２３２ａの曲率は、砂粒及び粒子が下流に流れ、第１の内面２１４と上面２３２ａとの間に砂粒及び粒子を留めることを防止することを促進してもよい。幾つかの態様においては、弁チャンバ２０２は、湾曲された床（例えば、第２の内面２２４）を有してもよく、図４に示されるように、床は、床の中心に向かって移動するにつれて隆起する。更に、幾つかの他の態様においては、第１の内面２１４と上面２３２ａとの間の通路を通過した砂粒及び粒子は、第２の内面２２４の近くの弁チャンバ２０２の床に収集されてもよい。
【００３５】
幾つかの態様においては、弁２３０の材料は、シリコーン又はエラストマー材料であってもよい。図４に例示されるように、弁ヘッド２３２の厚さは、中心から周辺部２３２ｃに向かって減少する。この構造は、下流圧力が加えられる場合に、周辺部２３２ｃが第１の内面２１４に向かって容易に移動することを促進する。
【００３６】
先の説明は、当業者が本明細書で説明される様々な態様を実施することを可能にするように提供される。上記は最良のモードであると考えられるもの及び／又は他の例を説明するが、これらの態様への様々な変更が当業者には容易に明らかであり、本明細書で画定された一般原理は他の態様に適用されてもよいことが理解される。この結果、特許請求の範囲は、本明細書に示される態様に限定されることが意図されず、特許請求の範囲の言語と一致する全範囲が与えられるべきであり、単数形の要素への言及は、特に具体的にそのように記載されない限り、「１つ及び１つのみ」を意味することが意図されず、「１つ以上」を意味することが意図される。特に具体的に記載されない限り、用語「セット」及び「一部」は、１つ以上を参照する。男性の代名詞（例えば、「彼の」）は、女性及び中性の代名詞（例えば、「彼女の」及び「その」）を含み、その逆も同様である。見出し及び小見出しは、もしあれば便宜のためにのみ使用されて、本発明を限定しない。
【００３７】
開示されたプロセスにおけるステップの特定の順序又は階層は、例示的なアプローチの実例であることが理解される。設計の好みに基づいて、プロセスにおけるステップの特定の順序又は階層は、再構成されてもよいことが理解される。一部のステップは同時に実行されてもよい。付随する方法の請求項は、サンプルの順序における様々なステップの要素を提示し、提示された特定の順序又は階層に限定されることが意味されない。
【００３８】
本開示において使用されるような「上部」、「底部」、「前部」、「後部」、等のような用語は、通常の重力基準系ではなく、任意の基準系を参照するものとして理解されるべきである。この結果、上面、底面、前面、及び後面は、重力基準系において上方、下方、斜め、又は水平に延伸してもよい。
【００３９】
「態様」のような語句は、そのような態様が対象技術に不可欠であること、又はそのような態様が対象技術の全ての構成に適用されることを意味しない。態様に関連する開示は、全ての構成又は１つ以上の構成に適用されてもよい。態様のような語句は、１つ以上の態様を参照してもよく、その逆も同様である。「実施形態」のような語句は、そのような実施形態が対象技術に不可欠であること、又はそのような実施形態が対象技術の全ての構成に適用されることを意味しない。実施形態に関連する開示は、全ての実施形態又は１つ以上の実施形態に適用されてもよい。実施形態のような語句は、１つ以上の実施形態を参照してもよく、その逆も同様である。
【００４０】
単語「例示的」は、本明細書では「例又は実例としての役割を果たす」ことを意味するために使用される。本明細書で「例示的」として説明される任意の態様又は設計は、他の態様又は設計より好ましく又は有利であるとして必ずしも解釈されるべきではない。
【００４１】
当業者に知られ、又は後に知られるようになる、本開示全体に亘って説明される様々な態様の要素に対する全ての構造的及び機能的均等物は、参照によって本明細書に明示的に組み込まれ、特許請求の範囲によって包含されることが意図される。その上、本明細書に開示されるものは、このような開示が特許請求の範囲に明示的に記載されているか否かに関係なく、公に捧げることが意図されない。クレーム要素は、要素が語句「ための手段」を使用して明示的に記載されない限り、又は方法の請求項の場合には、要素が語句「ためのステップ」を使用して記載されない限り、米国特許法第１１２条第６段落の規定に基づいて解釈されるべきではない。更に、「含む」、「有する」、等の用語が明細書又は特許請求の範囲で使用される限り、このような用語は、用語「備える」と同様の方法で、「備える」が請求項において転換語として用いられる場合に解釈されるように、包括的であることが意図される。
【図１】
2020533533.tif 000002
【図２】
2020533533.tif 000003
【図３】
2020533533.tif 000004
【図４】
2020533533.tif 000005
【手続補正書】
【提出日】令和2年5月12日(2020.5.12)
【手続補正１】
【補正対象書類名】特許請求の範囲
【補正対象項目名】全文
【補正方法】変更
【補正の内容】
【特許請求の範囲】
【請求項１】
入口ポート、出口ポート、及び弁チャンバを備えるハウジングであって、前記入口ポートは、前記弁チャンバの天井から前記ハウジングの外面に延伸し、前記出口ポートは、前記弁チャンバの床から前記ハウジングの前記外面に延伸する、ハウジングと、
弁ヘッド、及び前記弁ヘッドから長手方向に延伸する弁ステムを備える弁部材であって、前記出口ポートの開口部の中心に配置された前記弁ステムによって前記弁チャンバ内に支持されている弁部材と
を備える逆止弁であって、
上流圧力が前記弁部材に加えられる場合には、前記弁ヘッドは、前記弁チャンバの前記天井から離れるように偏向し、前記入口ポートを開封するように屈曲可能であり、
下流圧力が前記弁部材に加えられる場合には、前記弁ヘッドは、前記弁ヘッドが前記弁チャンバの前記天井の形状に対応するように、前記弁チャンバの前記床から離れるように偏向し、前記入口ポートを密封するように屈曲可能である、逆止弁。
【請求項２】
前記弁部材は、傘のような形状を備える、請求項１に記載の逆止弁。
【請求項３】
前記弁チャンバの前記天井は、ドーム状の天井を備える、請求項１に記載の逆止弁。
【請求項４】
前記弁ヘッドの半径は、前記弁チャンバの前記天井と前記弁ヘッドの上面との間に留まる粒子の直径より大きい、請求項３に記載の逆止弁。
【請求項５】
前記弁ヘッドの厚さは、前記弁ヘッドの中央部分から周辺部に向かって減少する、請求項１に記載の逆止弁。
【請求項６】
前記上流圧力が前記弁ヘッドに加えられる場合には、流体は、前記入口ポートから前記出口ポートに流れる、請求項１に記載の逆止弁。
【請求項７】
入口ポートを備える入口ハウジングと、
出口ポートを備える出口ハウジングと、
前記入口ハウジングと前記出口ハウジングとを係合することによって作り出された弁チャンバであって、前記入口ハウジングの内面は、前記弁チャンバの天井として機能し、前記出口ハウジングの内面は、前記弁チャンバの床として機能する、弁チャンバと、
前記入口ハウジングの内面と前記出口ハウジングの内面との間の傘状の弁であって、前記傘状の弁は、弁ヘッド、及び前記弁ヘッドから長手方向に延伸する弁ステムを備え、前記出口ポートの開口部の中心に配置された前記弁ステムによって前記弁チャンバ内に支持されている傘状の弁と
を備える逆止弁システムであって、
上流圧力が前記傘状の弁に加えられる場合には、前記傘状の弁の前記弁ヘッドは、前記入口ポートから離れるように偏向し、前記弁チャンバの前記天井と前記傘状の弁の上面との間に隙間を作り出すように屈曲可能であり、
下流圧力が前記傘状の弁に加えられる場合には、前記傘状の弁は、前記出口ポートから離れるように偏向するように屈曲可能であり、前記傘状の弁の前記上面は、前記弁チャンバの前記天井の形状に対応する、逆止弁システム。
【請求項８】
前記入口ポートは、前記弁チャンバから前記入口ハウジングの外面に延伸し、
前記出口ポートは、前記弁チャンバから前記入口ハウジングの外面に延伸し、
前記入口ポート及び前記出口ポートは、互いに軸線方向に整列する、請求項７に記載の逆止弁システム。
【請求項９】
前記弁チャンバの前記天井は、ドーム状の天井を備える、請求項７に記載の逆止弁システム。
【請求項１０】
前記天井は、実質的に第１の曲率を含み、
前記傘状の弁の前記上面は、第２の曲率を含み、前記第１の曲率は、前記第２の曲率より小さい、請求項７に記載の逆止弁システム。
【請求項１１】
前記弁ヘッドの厚さは、前記弁ヘッドの中央部分から周辺部に向かって減少する、請求項７に記載の逆止弁システム。
【請求項１２】
前記上流圧力が前記弁ヘッドに加えられる場合には、流体は、前記入口ポートから前記出口ポートに流れる、請求項７に記載の逆止弁システム。
【請求項１３】
入口端の入口ポート、出口端の出口ポート、天井、及び湾曲された床を備える弁チャンバであって、前記入口ポートは、前記天井から前記弁チャンバの外側に延伸し、前記出口ポートは、前記湾曲された床から前記弁チャンバの外側に延伸する、弁チャンバと、
弁ヘッド、及び前記弁ヘッドから長手方向に延伸する弁ステムを有する弁であって、前記出口ポートの開口部の中心に配置された前記弁ステムによって前記弁チャンバ内に支持されている弁と
を備える逆止弁であって、
前記湾曲された床は、ドーム形状を含み、前記湾曲された床の中心において隆起し、
前記湾曲された床の周辺部は、前記湾曲された床の前記中心より前記出口端に近く、
下流圧力が前記弁に加えられる場合には、前記弁ヘッドは、前記出口ポートから離れるように偏向し、前記弁チャンバの前記天井の形状に対応するように屈曲可能である、逆止弁。
【請求項１４】
前記弁チャンバの前記天井は、ドーム状の天井を備える、請求項１３に記載の逆止弁。
【請求項１５】
前記弁ヘッドの厚さは、前記弁ヘッドの中央部分から周辺部に向かって減少し、
上流圧力が弁に加えられる場合には、前記弁ヘッドは、前記入口ポートから離れるように偏向し、前記弁チャンバの前記天井と前記弁ヘッドとの間に間隙を作り出すように屈曲可能である、請求項１３に記載の逆止弁。
【請求項１６】
前記弁ヘッドの半径は、前記弁チャンバの前記天井と前記弁ヘッドの上面との間に留まる粒子の直径より大きい、請求項１３に記載の逆止弁。
【請求項１７】
前記弁は傘のような形状を有する、請求項１３に記載の逆止弁。
【国際調査報告】
2020533533.tif 000006
2020533533.tif 000007
2020533533.tif 000008